(57)【特許請求の範囲】
【請求項１】
係合用凹条部を有し且つその両側壁部に係止段部を有する天井デッキプレートに天井下地用吊りボルトを取り付けるための取付金具であって、前記両側壁部の係止段部間に架け渡される帯状本体が、長手方向中央部より一端部に片寄った位置に設けた折り目を介して略への字形に折曲され、このへの字形形帯状本体の長辺側本体部には折り目側の端部にネジ孔が設けられ、この長辺側本体部及び短辺側本体部の夫々両側縁部に補強用フランジが下向きに突設されていて、長辺側本体部補強用フランジと短辺側本体部補強用フランジとの対向端部の側面部どうしが互いに圧接されており、しかして長辺側本体部のネジ孔に吊りボルトの上端部がねじ込まれ、帯状本体の両端部が前記両側壁部の係止段部に係止されるようになっている天井下地用吊りボルトの取付金具。
【請求項２】
帯状本体の長辺側本体部は上面側が凸形の緩やかな円弧状に形成されている請求項１に記載の天井下地用吊りボルトの取付金具。
【請求項３】
帯状本体の短辺側本体部は長辺側本体部よりも幅狭に形成され、この短辺側本体部の両側補強用フランジは夫々下端部間の幅が上端部間の幅より広がるようにハの字状を成していて、このハの字状フランジの夫々下端部側が、長辺側本体部補強用フランジとの対向端部間においてこの長辺側本体部補強用フランジの内側面に圧接するようになっている請求項１又は２に記載の天井下地用吊りボルトの取付金具。
【請求項４】
長辺側本体部のネジ孔は、この長辺側本体部上面の折り目側端部に形成された凹段部の底部中央に設けられている請求項１〜３の何れかに記載の天井下地用吊りボルトの取付金具。
【発明の詳細な説明】
【技術分野】
【０００１】
本発明は、ビル等の鉄筋コンクリート建物躯体の天井部に天井下地用吊りボルトを取り付けるための取付金具に関するもので、特に、係合用凹条部を有し且つその両側壁部に係止段部を有する天井デッキプレートに天井下地用吊りボルトを取り付けるための取付金具関する。
【背景技術】
【０００２】
図５は従来技術を示し、(a) は天井デッキプレートに従来の取付金具により天井下地用吊りボルトを取り付けた状態を示す説明図、(b) は従来の取付金具を示す斜視図である。即ち、同図の(a) に示すように、凹条部１５ａと凸条部１５ｂとを交互に形成したデッキプレート１５上にコンクリート１６を打設して天井部（階上床）１７を構成すると共に、そのデッキプレート１５の凹条部１５ａの両側壁部に設けられた係止段部１８，１８を利用して、例えば、中央部にナット１９を固着した山形状金属帯板からなる取付金具２０の両端部を凹条部１５ａの係止段部１８，１８に係止させ、この取付金具２０の中央部のナット１９に吊りボルト２１の上端部をねじ込むと共に、この吊りボルト２１の下端部に、天井下地である吊りハンガー２２、野縁受け２３及び野縁２４を介して天井板２５を吊持させるようにしている。
【発明の開示】
【発明が解決しようとする課題】
【０００３】
上記特許文献１に記載の取付金具２０は、図５の(b) からも分かるように、帯状本体２０ａの長手方向の中央部（真中）を山頂部とする山形に形成され、しかもその山頂部にロナット１９が固着されている構造であることから、図５の(a) に示すデッキプレート１５のように凹条部１５ａの底面部中央に補強リブ２６が下向きに突設されている場合には、取付金具２０の使用にあたって、中央部のナット１９に吊りボルト２１の上端部をねじ込む際に、同図(a) に示すように、ねじ込んだ吊りボルト２１の上端とデッキプレート１５の補強リブ２６との間に間隙的余裕がなくなって、吊りボルト２１のねじ込み調整が的確にできなくなるそれがあった。
【０００４】
本発明は、上記の課題に鑑み、凹条部の底面部中央に補強リブが下向きに突設されているデッキプレートの場合にも、その補強リブに干渉されることなく、吊りボルトの上端部を帯状本体のネジ孔に的確にねじ込むことができるようにした天井下地用吊りボルトの取付金具を提供することを目的とする。
【課題を解決するための手段】
【０００５】
上記課題を解決するための手段を、後述する実施形態の参照符号を付して説明すると、請求項１に係る発明の天井下地用吊りボルトの取付金具は、係合用凹条部１５ａを有し且つその両側壁部に係止段部１８を有するデッキプレート１５に天井下地用吊りボルト２１を取り付けるための取付金具１であって、前記両側壁部の係止段部１８間に架け渡される帯状本体２が、長手方向中央部より一端部に片寄った位置に設けた折り目３を介して略への字形に折曲され、このへの字形形帯状本体２の長辺側本体部２ａには折り目３側の端部にネジ孔４が設けられ、この長辺側本体部２ａ及び短辺側本体部２ｂの夫々両側縁部に補強用フランジ５，６が下向きに突設されていて、長辺側本体部補強用フランジ５と短辺側本体部補強用フランジ６との対向端部の側面部どうしが互いに圧接されており、しかして長辺側本体部２ａのネジ孔４に吊りボルト２１の上端部がねじ込まれ、帯状本体２の両端部が前記両側壁部の係止段部１８に係止されるようになっていることを特徴とする。
【０００６】
請求項２は、請求項１に記載の天井下地用吊りボルトの取付金具において、帯状本体２の長辺側本体部２ａは上面側が凸形の緩やかな円弧状に形成されていることを特徴とする。
【０００７】
請求項３は、請求項１又は２に記載の天井下地用吊りボルトの取付金具において、帯状本体２の短辺側本体部２ｂは長辺側本体部２ａよりも幅狭に形成され、この短辺側本体部２ｂの両側フランジ６は夫々下端部間の幅が上端部間の幅より広がるようにハの字状を成していて、このハの字状フランジ６の夫々下端部側が、長辺側本体部２ａのフランジ５との対向端部間においてこの長辺側本体部２ａのフランジ５の内側面に圧接するようになっていることを特徴とする。
【０００８】
請求項４は、請求項１〜３の何れかに記載の天井下地用吊りボルトの取付金具において、長辺側本体部２ａのネジ孔４は、この長辺側本体部２ａ上面の折り目３側端部に形成された凹段部８の底部中央に設けられていることを特徴とする。
【発明の効果】
【０００９】
上記解決手段による発明の効果を、後述する実施形態の参照符号を付して説明すると、請求項１に係る発明の取付金具１によれば、デッキプレート１５の係合用凹条部１５ａの底面部中央に補強リブ２６が突出していても、吊りボルト２１をねじ込むネジ孔４が、帯状本体２の長手方向中央部より一端側に片寄った位置、つまり補強リブ２６を避けた位置に設けてあるため、その補強リブ２６が吊りボルト２１のねじ込み操作に支障を来すようなことがなく、吊りボルトの上端面と係合用凹条部１５ａの底面との間に十分な隙間を確保できて、吊りボルト２１のねじ込みを的確に行うことができる。
【００１０】
また、この取付金具１では、吊りボルト２１の下端部に天井下地を介して天井板２５を吊持させると、帯状本体２は吊りボルト２１を介して天井下地及び天井板２５による荷重を受けることになるが、この場合、帯状本体２は、折り目３を介して長辺側本体部２ａと短辺側本体部２ｂとに分かれて略への形を成していると共に、折り目３に近い長辺側本体部２ａの端部に吊りボルトが取り付けてあることから、長辺側本体部補強用フランジ５と短辺側本体部補強用フランジ６とが、仮に、互いに縁切状態であるとすれば、帯状本体２が上記荷重を受けた時に、強度的に弱い折り目３の変形により長辺側本体部２ａの荷重点が短辺側本体部２ｂ側へ横移動して長辺側本体部２ａの端部２ａｏが滑りを生じ、短辺側本体部２ｂはその端部２ｂｏを中心に長辺側本体部２ａから押されるように回転して不安定な状態となる。
【００１１】
しかしながら、長辺側本体部補強用フランジ５と短辺側本体部補強用フランジ６との対向端部５ａ，６ａの側面部どうしが互いに圧接された状態となっていることから、帯状本体２が天井下地及び天井板２５の荷重を受けて、長辺側本体部２ａの荷重点が短辺側本体部２ｂ側へ横移動しようとする時に、その移動が、長辺側本体部補強用フランジ５と短辺側本体部補強用フランジ６との対向端部５ａ，６ａの側面部どうしの圧接作用によって阻止され、これがために短辺側本体部２ｂは回転を生じるようなことがなく、安定状態を保つことができ、帯状本体２の全体が安定状態となる。
【００１２】
請求項２に係る発明の取付金具１によれば、帯状本体２の長辺側本体部２ａは上面側が凸形の緩やかな円弧状に形成されているため、長辺側本体部２ａ自体が変形し難くなって、補強構造となる。
【００１３】
請求項３に係る発明の取付金具１によれば、帯状本体２の短辺側本体部２ｂは長辺側本体部２ａより幅狭に形成され、短辺側本体部２ｂの両側フランジ６は夫々下端部間の幅が上端部間の幅より広がるようにハの字状を成していて、このハの字状フランジ６の夫々下端部側が、長辺側本体部２ａの補強用フランジ５との対向端部間においてこの長辺側本体部２ａの補強用フランジ５の内側面に圧接するようになっているから、短辺側本体部補強用フランジ６の端部６ａを長辺側本体部側補強用フランジ５の端部５ａに対してより有効に且つ強力に圧接させることができる。
【００１４】
請求項４に係る発明の取付金具１によれば、長辺側本体部２ａのネジ孔４は、この長辺側本体部２ａ上面の折り目３側端部に形成された凹段部８の底部中央に設けられているから、吊りボルト２１の上端部をネジ孔４にねじ込む際に、長辺側本体部２ａの上面から突出する吊りボルト２１上端部の突出長さを極力少なくすることができ、それにより長辺側本体部２ａの上面と係合用凹条部１５ａの底面との間が隙間が少ない場合でも、吊りボルト２１のねじ込みを的確に行うことができる。
【発明を実施するための最良の形態】
【００１５】
以下に本発明の好適な一実施形態を図面に基づいて説明すると、図１の(a) は本発明に係る天井下地用吊りボルトの取付金具を示す斜視図、(b) は同取付金具の正面図であり、図２は図１の(b) のＸ−Ｘ線拡大断面図、図３は同取付金具を平面状に展開した状態での展開図であり、図４は同取付金具の使用状態を示す断面図である。
【００１６】
これらの図において１は本発明の取付金具を示す。この取付金具１は、デッキプレート１５の凹条部１５ａの両側壁部に形成された係止段部１８，１８間に架け渡される帯状本体２を有する。この帯状本体２は、長手方向中央部よりも一端部に片寄った位置に設けた折り目３を介して略への字形に折曲形成され、このへの字形の帯状本体２の長辺側本体部２ａには折り目３側の端部にネジ孔４が設けられ、この長辺側本体部２ａ及び短辺側本体部２ｂの夫々両側縁部に補強用フランジ５，６が下向きに突設されていて、長辺側本体部２ａの補強用フランジ５と短辺側本体部２ｂの補強用フランジ６との対向端部５ａ，６ａの側面部どうしが互いに圧接された状態となっている。
【００１７】
この取付金具１を製作するには、所要厚さの鋼板を図３の展開図に示すような形状に形取りし、長辺側本体部２ａには短辺側本体部２ｂとの境界線上にある折り目３の近くにネジ孔４を形成しておいて、長辺側本体部２ａの両側縁部を折り線イ，イに沿って下向きに折曲することによって長辺側本体部２ａの補強用フランジ５，５を形成し、また短辺側本体部２ｂの両側縁部を折り線ロ，ロに沿って下向きに折曲することによって短辺側本体部２ｂの補強用フランジ６，６を形成する。
【００１８】
この場合、長辺側本体部２ａ側の補強用フランジ５，５は、長辺側本体部２ａに対して夫々直角になるように折曲するが、短辺側本体部２ｂ側の補強用フランジ６，６は、短辺側本体部２ｂに対し直角よりも外向きに開いて、略ハの字状を成すように折曲しておく。また、図３の展開図に示すように、短辺側本体部２ｂは長辺側本体部２ａよりも幅狭に形成され、そして長辺側本体部２ａ側の補強用フランジ５と短辺側本体部２ｂ側の補強用フランジ６との対向端部間には帯状本体２の厚みの１．５倍程度の溝幅を有してその溝先部が短辺側本体部２ｂ側に寄った開口溝７，７を形成し、それによって短辺側本体部側補強用フランジ６の先端部６ａが略三角形状に形成する。
【００１９】
上記のように長辺側本体部２ａ側の補強用フランジ５，５と短辺側本体部２ｂ側の補強用フランジ６，６を形成した後、長辺側本体部２ａと短辺側本体部２ｂとを折り目３に沿って略への字形に折曲すると共に、短辺側本体部補強用フランジ６の三角形状端部５ａを長辺側本体部補強用フランジ５の対向端部に対し内側から押し込んで、図１及び図２に示すように、短辺側本体部補強用フランジ６の三角形状端部５ａが長辺側本体部補強用フランジ５の端部６ａ内側面に圧接した状態とする。
【００２０】
また、帯状本体２の長辺側本体部２ａは、図１の(a) ，(b) から分かるように、上面側が凸形の緩やかな円弧状に形成されている。また、長辺側本体部２ａのネジ孔４は、この長辺側本体部２ａ上面の折り目３側端部に形成された凹段部８の底部中央に設けられている。
【００２１】
次に、上記のような構成よりなる取付金具１の使用方法について図４を参照して説明する。図４には、係合用凹条部１５ａと凸条部１５ｂとを交互に形成したデッキプレート１５上にコンクリート１６が打設されて天井部（階上床）１７が構成されると共に、デッキプレート１５の凹条部１５ａの両側壁部には係止段部１８，１８が設けてあり、また係合用凹条部１５ａの底面部の中央部に補強リブ２６が下向きに突設されている。この取付金具１の使用にあたっては、吊りボルト２１の上端部を長辺側本体部２ａのネジ孔４に若干浅くねじ込んで、ボルト２１の上端が長辺側本体部２ａの上面から突出しない程度にしておく。
【００２２】
こうして吊りボルト２１の上端部に取付金具１を取り付けた状態で、吊りボルト２１を持ち上げ、取付金具１をデッキプレート１５の係合用凹条部１５ａ内に突入させて、帯状本体２の両端部２ａｏ，２ｂｏを両側壁部の係止段部１８，１８に係止させる。この時、図示のように係合用凹条部１５ａの底面部中央に補強リブ２６が突出していても、吊りボルト２１をねじ込むネジ孔４が帯状本体２の長手方向中央部より一端側に片寄った位置に設けてあるため、その補強リブ２６が吊りボルト２１のねじ込み操作に支障を来すようなことがなく、つまり吊りボルトの上端面と係合用凹条部１５ａの底面との間に十分な隙間が確保されることになって、吊りボルト２１のねじ込みを的確に行うことができる。
【００２３】
しかして、吊りボルト２１の下端部には、図４には図示していないが、図５に示すように、天井下地である吊りハンガー２２、野縁受け２３及び野縁２４を介して天井板２５を吊持させる。
【００２４】
上記のように吊りボルト２１の下端部に天井下地を介して天井板２５を吊持させると、帯状本体２の長辺側本体部２ａが吊りボルト２１を介して天井下地及び天井板２５による荷重を直接的に受けることになる。この場合、帯状本体２は、折り目３を介して長辺側本体部２ａと短辺側本体部２ｂとに分かれて略への形を成していると共に、折り目３に近い長辺側本体部２ａの端部に吊りボルトが取り付けられていることから、長辺側本体部補強用フランジ５と短辺側本体部補強用フランジ６とが、仮に、互いに縁切状態（独立状態）であるとすれば、帯状本体２が上記荷重を受けた時に、強度的に弱い折り目３の変形により長辺側本体部２ａの荷重点が短辺側本体部２ｂ側へ横移動して長辺側本体部２ａの端部２ａｏが滑りを生じ、それにより短辺側本体部２ｂがその端部２ｂｏを中心に長辺側本体部２ａから押されるように回転して不安定な状態となる。
【００２５】
しかしながら、長辺側本体部補強用フランジ５と短辺側本体部補強用フランジ６との対向端部５ａ，６ａの側面部どうしが互いに圧接された状態となっていることから、帯状本体２が天井下地及び天井板２５の荷重を受けて、長辺側本体部２ａの荷重点が短辺側本体部２ｂ側へ横移動しようとする時に、その移動が長辺側本体部補強用フランジ５と短辺側本体部補強用フランジ６との対向端部５ａ，６ａの側面部どうしの圧接により阻止され、これがために短辺側本体部２ｂが回転を生じるようなことがなく、安定状態を保つことができ、帯状本体２の全体が安定状態となる。
【００２６】
またこの場合、帯状本体２の短辺側本体部２ｂは長辺側本体部２ａよりも幅が狭く形成され、この短辺側本体部２ｂの両側フランジ６は夫々下端部間の幅が上端部間の幅より広がるようにハの字状を成していて、このハの字状フランジ６の夫々下端部側が、長辺側本体部２ａの補強用フランジ５との対向端部間においてこの長辺側本体部２ａの補強用フランジ５の内側面に圧接するような構成となっているため、短辺側本体部補強用フランジ６の端部６ａを長辺側本体部側補強用フランジ５の端部５ａに対してより強力に圧接させることができる。
【００２７】
また、長辺側本体部２ａの上面側が凸形の緩やかな円弧状に形成されているため、長辺側本体部２ａ自体の変形がし難く、補強構造となる。また、長辺側本体部２ａのネジ孔４は、この長辺側本体部２ａ上面の折り目３側端部に形成された凹段部８の底部中央に設けられているため、吊りボルト２１の上端部をネジ孔４にねじ込む際に、長辺側本体部２ａの上面から突出する吊りボルト２１上端部の突出長さを極力少なくすることができ、それによって長辺側本体部２ａの上面と係合用凹条部１５ａの底面との間が隙間が少ない場合でも、吊りボルト２１のねじ込みを的確に行うことができる。
【図面の簡単な説明】
【００２８】
【図１】(a) は本発明に係る天井下地用吊りボルトの取付金具を示す斜視図、(b) は同取付金具の正面図である。
【図２】図１の(b) のＸ−Ｘ線拡大断面図である。
【図３】同取付金具を平面状に展開した状態を示す取付金具の展開図である。
【図４】同取付金具の使用状態を示す断面図である。
【図５】(a) は天井デッキプレートに従来の取付金具により天井下地用吊りボルトを取り付けた状態を示す説明図、(b) は従来の取付金具を示す斜視図である。
【符号の説明】
【００２９】
１            取付金具
２            帯状本体
２ａ          帯状本体の長辺側本体部
２ｂ          帯状本体の短辺側本体部
３            折り目
４            ネジ孔
５            長辺側本体部側補強フランジ
６            短辺側本体部側補強フランジ
１５          デッキプレート
１５ａ        係合用凹条部
１８          係止段部
２１          吊りボルト
【図１】
0004836894.tif 000002
【図２】
0004836894.tif 000003
【図３】
0004836894.tif 000004
【図４】
0004836894.tif 000005
【図５】
0004836894.tif 000006